(57)【要約】【目的】シートのつなぎ目から水が回り込んでしまうのを防止することができる防水シート連結構造を提供する。【構成】屋根５は防水工事前の状態であり、この屋根５の下地上にパイプ１を配置している。そして、連結する防水シート２・２は、その縁がパイプ１の上で重ね合わせられ、この重ね合わせ箇所で防水シート２・２の上からパイプ１に押さえカバー部材４が嵌合される。押さえカバー部材４は、前記パイプ１の丸外形に対応した断面略Ｃ形状を有しており、その開口角αは防水シート２・２の厚みに応じて押さえカバー部材４の着脱性及び保持力（嵌合状態を維持する力）を考慮して決定される。【選択図】　　　　　　　図１
2004003156.tif 000002
【特許請求の範囲】
【請求項１】
連結する防水シートの縁同士がパイプの上で重ね合わされ、前記パイプの外形に対応した断面略Ｃ形状を有する押さえカバー部材が前記重ね合わせ箇所でシートの上から前記パイプに嵌合されたことを特徴とする防水シート連結構造。
【請求項２】
請求項１に記載の防水シート連結構造において、前記パイプとして複数本のパイプが用いられ、パイプ同士は内径管にて連結されていることを特徴とする防水シート連結構造。
【請求項３】
請求項１又は請求項２に記載の防水シート連結構造において、前記押さえカバー部材の端面角部及び／又は開口辺部は曲面形状を有していることを特徴とする防水シート連結構造。
【請求項４】
請求項１乃至請求項３のいずれかに記載の防水シート連結構造において、前記押さえカバー部材を外側から締めつける弾性部材が装着されたことを特徴とする防水シート連結構造。
【請求項５】
請求項１乃至請求項４のいずれかに記載の防水シート連結構造において、前記押さえカバー部材の上部外側に凸部が形成され、この凸部には穴部が形成されていることを特徴とする防水シート連結構造。
【請求項６】
防水工事前の屋根上にパイプを配置して防水シートを敷き、連結する防水シートの縁同士をパイプの上で重ね合わせ、この重ね合わせ箇所でシートの上から前記パイプに押さえカバー部材を嵌合して請求項５の防水シート連結構造を形成し、この防水シート連結構造の解体時には凸部の穴部にフックをかけて持ち上げることにより押さえカバー部材を離脱させることを特徴とする屋根施工時防水方法。
【請求項７】
防水工事前の屋根上にパイプを配置して防水シートを敷き、連結する防水シートの縁同士をパイプの上で重ね合わせ、この重ね合わせ箇所でシートの上から前記パイプに押さえカバー部材を嵌合して請求項１乃至請求項４のいずれかに記載の防水シート連結構造を形成し、この防水シート連結構造の解体時には押さえカバー部材の端面側で当該カバー部材とシートとの間から係止部材を差し込んでこれを当該カバー部材に係止させ、この係止部材を持ち上げることにより押さえカバー部材を離脱させることを特徴とする屋根施工時防水方法。
【発明の詳細な説明】
【０００１】
【産業上の利用分野】
この発明は、防水シート連結構造及び屋根施工時防水方法に関する。
【０００２】
【従来の技術】
建物の屋根施工で防水工事に取りかかる前に降雨があると、屋根下地材を濡らしてしまうことになり、品質への影響が懸念されることから、従来より、降雨が予想されるときには、屋根下地面に市販のシートをかけて対応することが一般的に行われている。また、ユニット住宅などでは建物形状が標準化されており、屋根サイズが予め分かるときには、専用の袋状の大型シートを用意しておき、降雨が予想されるときには、屋根下地面に前記専用シートをかけて対応することも行われている。
【０００３】
【発明が解決しようとする課題】
しかしながら、前記市販のシートで対応するときには、それ一枚では屋根全体を覆うことはできず、何枚かをつなぎ合わせる必要があるが、このつなぎ目から水が回り込んで屋根下地を濡らすことがある。また、シートを何枚かつなぎ合わせるために、ファスナー付きのシートを用いることもあるが、割高である上にファスナーの着脱に手間がかかるといった不満がある。また、専用の袋状の大型シートでは、その設置や回収の作業が大変である他に、回収後の乾燥のための手間や乾燥場所の確保、乾燥後の保管の手間や保管場所の確保が必要である。
【０００４】
この発明は、上記の事情に鑑み、防水シートのつなぎ目から水が回り込んでしまうのを防止することができる防水シート連結構造及び屋根施工時防水方法を提供することを目的とする。
【０００５】
【課題を解決するための手段】
この発明の防水シート連結構造は、上記課題を解決するために、連結する防水シートの縁同士がパイプの上で重ね合わされ、前記パイプの外形に対応した断面略Ｃ形状を有する押さえカバー部材が前記重ね合わせ箇所でシートの上から前記パイプに嵌合されたことを特徴とする。
【０００６】
上記の構成であれば、シートの重ね合わせ箇所でシート同士はパイプと押さえカバー部材との間で密着することになり、前記重ね合わせ箇所で水が回り込んでしまうのを防止することができる。
【０００７】
前記パイプとして複数本のパイプが用いられ、パイプ同士は内径管にて連結されているのがよい。例えば、予め十字形状のパイプを用意しておくことも可能ではあるが、これでは運搬や保管が大変であり、上記のごとく、複数本のパイプを用いてパイプ同士を内径管にて連結するようにすれば、現場で十字形状に組むことができ、運搬や保管は棒状のパイプの状態で行えることになる。
【０００８】
前記押さえカバー部材の端面角部及び／又は開口辺部は曲面形状を有しているのがよい。これによれば、押さえカバー部材の端面角部及び／又は開口辺部にシートが擦れても、その破損が回避されることになる。
【０００９】
前記押さえカバー部材を外側から締めつける弾性部材が装着されているのがよい。これによれば、シートが風に煽られたとしても、シートの離脱を防止することができる。
【００１０】
前記押さえカバー部材の上部外側に凸部が形成され、この凸部には穴部が形成されていてもよい。これによれば、防水シート連結構造の解体時には凸部の穴部にフックをかけて押さえカバー部材を持ち上げ、当該カバー部材を容易にパイプから離脱させることができる。
【００１１】
また、この発明の屋根施工時防水方法は、防水工事前の屋根上にパイプを配置して防水シートを敷き、連結する防水シートの縁同士をパイプの上で重ね合わせ、この重ね合わせ箇所でシートの上から前記パイプに凸部を有する押さえカバー部材を嵌合して防水シート連結構造を形成し、この防水シート連結構造の解体時には前記凸部の穴部にフックをかけて持ち上げることにより押さえカバー部材を離脱させることを特徴とする。
【００１２】
また、この発明の屋根施工時防水方法は、防水工事前の屋根上にパイプを配置して防水シートを敷き、連結する防水シートの縁同士をパイプの上で重ね合わせ、この重ね合わせ箇所でシートの上から前記パイプに押さえカバー部材を嵌合して請求項１乃至請求項４のいずれかに記載の防水シート連結構造を形成し、この防水シート連結構造の解体時には押さえカバー部材の端面側で当該カバー部材とシートとの間から係止部材を差し込んでこれを当該カバー部材に係止させ、この係止部材を持ち上げることにより押さえカバー部材を離脱させることを特徴とする。
【００１３】
【発明の実施の形態】
以下、この発明の防水シート連結構造及び屋根施工時防水方法を図１乃至図１３に基づいて説明していく。
【００１４】
図１はこの実施形態の防水シート連結構造を示した図であって、押さえカバー部材４の装着前の段階を示している。屋根５は防水工事前の状態であり、この屋根５の下地上にパイプ（例えば、丸形鋼管４８．６φ：足場に用いられる）１を配置している。そして、連結する防水シート（市販のもので、例えば、ポリエチレン製のものを用いることができる）２・２は、その縁における例えば５００ｍｍの範囲がパイプ１の上で重ね合わせられ、この重ね合わせ箇所で防水シート２・２の上からパイプ１に押さえカバー部材４が嵌合される。押さえカバー部材４は、前記パイプ１の丸外形に対応した断面略Ｃ形状を有しており、その開口角αは、防水シート２・２の厚みに応じて押さえカバー部材４の着脱性及び保持力（嵌合状態を維持する力）を考慮して決定される。
【００１５】
パイプ１として十字形状のパイプや長尺のパイプを予め用意しておくことも可能ではあるが、これでは運搬や保管が大変である。この実施形態では、複数本のパイプ１…を用いてパイプ同士を図２及び図３（ａ）（ｂ）に示すように十字状の内径管６Ａにて連結したり、図４（ａ）（ｂ）（ｃ）に示すように、一文字状の内径管６Ｂにて連結するようにしている。屋根５上でのパイプ１…の最終的な連結形態は、多くの場合、井字形状若しくはこれに準じた形状となる。そして、このように組まれたパイプ１…の上に防水シート２…を配置する。
【００１６】
パイプ１…が十字形状に組まれた箇所では、図５（ａ）に示すように、まず、一枚目の防水シート２をその角部において十字形状部分を覆うように配置する。そして、同図（ｂ）に示すように、二枚目の防水シート２をその縁部が一枚目の防水シート２の縁部に重なり且つ角部において前記十字形状部分を覆うように配置する。更に、図６に示すように、三枚目の防水シート２をその縁部が一枚目の防水シート２の他の縁部に重なり且つ角部において前記十字形状部分を覆うように配置し、四枚目の防水シート２をその一つの縁部が二枚目の防水シート２の他の縁部に重なり且つ他の一つの縁部が三枚目の防水シート２の他の縁部に重なり且つ角部において前記十字形状部分を覆うように配置する。なお、図７には下側から見た状態を示している。
【００１７】
４つの防水シート２…がその角部同士により四重となる箇所では、他の二重となる箇所に比べて全体シート厚が厚くなるため、当該箇所専用の押さえカバー部材４を設けるようにしてもよい。一方、押さえカバー部材４を四重用に寸法設定し、二重となる箇所には厚さ調整シートを入れることで対応することも考えられる。また、押さえカバー部材４の端部のみが四重箇所に対応した寸法を持つこととしてもよい。
【００１８】
図８は、押さえカバー部材４の変形例を示した図であって、同図（ａ）は断面図であり、同図（ｂ）は側面図である。この図８の押さえカバー部材４は、その端面角部４ａ及び開口辺部４ｂが曲面形状を有している。これによれば、押さえカバー部材４の端面角部４ａや開口辺部４ｂにシート２が擦れても、その破損が回避されることになる。
【００１９】
図９は、押さえカバー部材４を外側から締めつける弾性クリップ７Ａを示した斜視図である。この弾性クリップ７Ａはばね鋼或いは樹脂などから成り、押さえカバー部材４の外形に対応した断面略Ｃ字形状を有している。弾性クリップ７Ａの上部には撓み増大部７Ａａが形成されており、押さえカバー部材４への嵌合が行い易くなっている。また、弾性クリップ７Ａの開口辺部７Ａｂが曲線状に形成されており、シート２の擦れによるその破損を防止できるようにしている。
【００２０】
図１０は、押さえカバー部材４を外側から締めつけるばね挟み７Ｂを示した斜視図である。このばね挟み７Ｂであれば、押さえカバー部材４から取り外す操作が前記弾性クリップ７Ａに比べて容易に行えることになる。また、ばね挟み７Ｂの開口辺部４ｂも曲線状に形成されており、シート２の擦れによるその破損を防止できる。
【００２１】
図１１は、上面外側に凸条部４１ａが形成された押さえカバー部材４１を示した斜視図である。このような形状の押さえカバー部材４１は例えば押し出し成形にて得ることができる。凸条部４１ａには所定間隔で貫通穴４１ｂ…が形成されている。この押さえカバー部材４１を用いた防水シート連結構造の解体時には前記貫通穴４１ｂにフック１１をかけて持ち上げることにより押さえカバー部材４１を容易に離脱させることができる。
【００２２】
一方、凸条部を持たない押さえカバー部材４を用いた防水シート連結構造の解体時には、図１２に示すように、押さえカバー部材４の端面側の上部内面側（当該カバー部材４とシートとの間）に係止部材１２を差し込む。この係止部材１２の本体部１２ａは押さえカバー部材４の曲率に対応して湾曲し且つ挿入先端部は薄く形成されており、この本体部１２ａの手前端には鉤状部１２ｂが形成されている。そして、鉤状部１２ｂの下面と本体部１２ａの上面との間には押さえカバー部材４の肉厚に対応した隙間部が形成されている。また、鉤状部１２ｂには貫通穴１２ｃが形成されている。係止部材１２の本体部１２ａを押さえカバー部材４とシート２との間に挿入し、前記貫通穴１２ｃに図示しないフックを引っかけて係止部材１２を持ち上げることにより押さえカバー部材４を容易に離脱させることができる。
【００２３】
図１３はパラペット部での防水シート連結構造を示した斜視図（一部断面）である。同図（ａ）に示すごとく、パラペット１５の頂部には複数のパラペット専用の固定金物１８を配置している。固定金物１８は、パラペット１５の厚みに対応した断面コ字形状の被せ固定部と、この被せ固定部に支持部を介して固設された内径管とから成る。そして、被せ固定部の側面にはねじ穴が形成されており、このねじ穴には蝶ねじが螺合されている。この蝶ねじを用いてパラペット１５に固定金物１８を強固に固定することができる。固定金物１８の内径管にパイプ１…をつなぐことで、パラペット１５の頂部においてパイプ１…が配置されることになる。また、中間部には束部材１６を配置し、この束部材１６によってパイプ１を浮かしている。束部材１６はねじを用いた高さ調節機構を備えている。束部材１６におけるパイプ連結部分はどのような構造でもよいが、この連結部分を内径管とすることもできる。また、この浮かし部分のパイプ１とパラペット１５の頂部配置のパイプ１との連結においては、例えばＴ状の内径管を用いることができる。このようにパイプ１…を配置した後、同図（ｂ）に示すごとく、防水シート２を被せ、押さえカバー部材４…をシート上からパイプ１…に嵌め込み、防水シート２を固定する。また、防水シート２には排水ホース１７が連結されており、防水シート２に溜まった雨水は排水ホース１７によって建物外に排出される。また、防水シート２の端部の建物外に位置する箇所には、固定用ひも１９を設けておく。この固定用ひも１９は外部足場に連結しておくか、下まで延ばして建物本体と連結するなどして風による防水シート２のバタツキや飛散を防止する。
【００２４】
なお、以上説明した防水シート連結構造や屋根施工時防水方法は傾斜が緩やかな陸屋根に適用するのが好適であるが、通常の傾斜屋根にも用いることが可能である。
【００２５】
【発明の効果】
以上説明したように、この発明によれば、シートの重ね合わせ箇所でシート同士はパイプと押さえカバー部材との間で密着することになり、当該重ね合わせ箇所から水が回り込んでしまうのを防止することができる。従って、屋根施工における防水処理前において、専用のシートやファスナー付きのシートではなく、一般的な市販のシートを用いて十分な降雨時対策が行えることになる。
【００２６】
【図面の簡単な説明】
【図１】この発明の実施形態の防水シート連結構造を示した断面図である。
【図２】パイプ及び十字型の内径管を示した斜視図である。
【図３】同図（ａ）及び（ｂ）は各々パイプに十字型の内径管を装着する様子を示した斜視図である。
【図４】同図（ａ）乃至（ｃ）は各々パイプに一文字型の内径管を装着する様子を示した斜視図である。
【図５】同図（ａ）及び（ｂ）は各々防水工事前の屋根上にパイプを配置して防水シートを敷いた状態を示した説明図である。
【図６】防水シートを敷いた後にシートの上からパイプに押さえカバー部材を嵌合する様子を示した説明図である。
【図７】図６の様子を下側から見た説明図である。
【図８】押さえカバー部材の他の例を示した図であって、同図（ａ）は断面図、同図（ｂ）は側面図である。
【図９】弾性クリップを示した斜視図である。
【図１０】ばね挟みを示した斜視図である。
【図１１】押さえカバー部材の他の例を示した斜視図である。
【図１２】係止部材及び押さえカバー部材を示した斜視図である。
【図１３】同図（ａ）及び（ｂ）はパラペット近傍での防水シート連結構造を示した斜視図である。
【符号の説明】
１　　パイプ
２　　防水シート
４　　押さえカバー部材
４１　押さえカバー部材
５　　屋根
６Ａ　内径管
６Ｂ　内径管
７Ａ　弾性クリップ
７Ｂ　ばね挟み
１５　パラペット
１７　排水ホース
１８　固定金物
【図１】
2004003156.tif 000003
【図２】
2004003156.tif 000004
【図３】
2004003156.tif 000005
【図４】
2004003156.tif 000006
【図５】
2004003156.tif 000007
【図６】
2004003156.tif 000008
【図７】
2004003156.tif 000009
【図８】
2004003156.tif 000010
【図９】
2004003156.tif 000011
【図１０】
2004003156.tif 000012
【図１１】
2004003156.tif 000013
【図１２】
2004003156.tif 000014
【図１３】
2004003156.tif 000015